(57)【要約】【課題】電気掃除機本体から出ている電源コードの処理を、本体に巻き付けても、また、電源コードだけを束ねても処理できる電気掃除機を提供することを目的としている。【解決手段】電気掃除機本体１は、面ファスナーＡ１１と面ファスナーＢ１２を段違いに重合し、この重合部分に帯状部材１３を重合することで電源コード２の貫通部１３ａを構成したコードバンド３と、掃除機本体１の外部に電源コード２の電源コード保持部９と、電源コード２とを備え、コードバンド３を移動可能に構成することで、電源コード２を１本でも束ねてでも結束できるようにした。【選択図】図１
2008234975.tif 000002
【特許請求の範囲】
【請求項１】
帯状の雄形面ファスナー部と、帯状の雌形面ファスナー部と、柔軟性と有する帯状部材とからなり、前記雄形面ファスナー部と前記雌形面ファスナー部のファスナー面を対向させ段違いとなるように端部同士を重合し、この重合した部分に更に前記帯状部材を重合すると共にコードが貫通する貫通部を形成したことを特徴とするコードバンド。
【請求項２】
帯状の雄形面ファスナー部と、帯状の雌形面ファスナー部と、雄形または雌形の面ファスナーを有する帯状部材とからなり、前記雄形面ファスナー部と前記雌形面ファスナー部のファスナー面を対向させ段違いとなるように端部同士を重合し、この重合した部分に更に前記帯状部材をファスナー面が外向きになるように重合すると共にコードが貫通する貫通部を形成したことを特徴とするコードバンド。
【請求項３】
掃除機本体と、前記掃除機本体に電源を供給するための電源コードと、前記電源コードが貫通部に貫通された請求項１または２に記載のコードバンドを備え、前記電源コードを束ねた状態で前記コードバンドの雄形面ファスナー部と雌形面ファスナー部を巻き付け結束した電気掃除機。
【請求項４】
掃除機本体と、前記掃除機本体に電源を供給するための電源コードと、前記掃除機本体の外郭に一体に設けた前記電源コード保持部と、前記電源コードが貫通部に貫通された請求項２記載のコードバンドを備え、前記コードバンドを前記電源コードの途中に位置させて前記電源コード保持部に巻き付けた後、前記コードバンドの帯状部材の面ファスナーと、雄形面ファスナー部または雌形面ファスナー部とで前記電源コード先端のプラグ部を結束した電気掃除機。
【発明の詳細な説明】
【技術分野】
【０００１】
本発明は、電源コードを保持する部分を本体外郭部に設けた電気掃除機の電源コードを処理するコードバンドに関するものである。
【背景技術】
【０００２】
従来の電気掃除機について、図５を用いて説明する。
【０００３】
従来の電気掃除機は、電気掃除機本体２１と、この本体２１に給電をする電源コード２２とこのコード２２を束ねた状態に保持するコード結束バンド２３とを備えている。電気掃除機本体２１の後部上面には取っ手２４が設けられているとともに、この取っ手２４を握った時に親指で押圧操作し得るシーソー式の電源スイッチ２５が取り付けられている。電源コード２２は、その一端を電気掃除機本体２１に接続して設けられているとともに、他端に電源コンセントに差込接続される差込みプラグ２２ａを有している。コードバンド２３は軟質ビニール製であるとともに、長手方向一端部にはスリットからなる一対の取付け孔２３ａが開けられ、電源コード２２が通されており、結束バンド２３は電源コード２２に対して容易に外れないようになっている。また、コード結束バンド２３は、結束保持手段として、お互いに係脱可能な留めホック２８ａ、２８ｂを、長手方向両端部に夫々取付けている（例えば、特許文献１参照）。
【特許文献１】特開平１１−５６６９０号公報
【発明の開示】
【発明が解決しようとする課題】
【０００４】
しかしながら、前記従来の構成では、掃除終了後、電源コードをコード結束バンドで結束させ、収納するようになっていたため、場所をとり、コードが邪魔という課題があった。また、結束バンドに設けた１対のスリットに電源コードを貫通した構成であるため、スリット部で挟まれる状態となり結束バンドが移動し難いものであった。従って、電源コードの束ね方によって結束バンドが電源コードの折り曲げ部に位置した時など結束バンドを移動する必要があるが、この従来の結束バンドでは、移動がし辛く使い勝手が悪かった。
【０００５】
また、結束バンドが薄い軟質ビニールであるため、切れやすく耐久性が良くないという課題もあった。このため、本体に電源コードを巻きつけて収納するようになり、この際に電源コードのプラグ部を本体に巻き付けたコードの間に無理やり通して保持、固定されることが多く、電源プラグ部での断線がおこる原因となる課題があった。
【０００６】
本発明は、前記従来の課題を解決するもので、電気掃除機本体に電源コードを巻き付けて収納した場合はプラグ部を固定出来、また、電源コードだけでも結束できる使い勝手のよいコードバンド及びこのコードバンドを用いたコードの断線がなく品質の良い電気掃除機を提供することを目的とする。
【課題を解決するための手段】
【０００７】
上記従来の課題を解決するために、本発明のコードバンドは、帯状の雄形面ファスナー部と、帯状の雌形面ファスナー部と、柔軟性と有する帯状部材とからなり、前記雄形面ファスナー部と前記雌形面ファスナー部のファスナー面を対向させ段違いとなるように端部同士を重合し、この重合した部分に更に前記帯状部材を重合すると共にコードが貫通する貫通部を形成したことを特徴とするもので、貫通部内側を平坦に構成できるためコードがスムーズに移動可能となり、コードバンドを任意の位置に移動させてコードの結束が可能となる。そして、このコードバンドを利用した電気掃除機によれば、電源コード単体でも束ねて結束でき、断線の生じない高品質の電気掃除機を提供できる。
【発明の効果】
【０００８】
本発明のコードバンドによれば、電源コードの任意の位置への移動が容易に行えるので、電源コードの収納状態に応じて、結束状態を選択できる。そして、このコードバンドを、電気掃除機に利用することで、掃除機本体に巻き付けて収納した状態でも、電源コード単体で束ねた状態でも、容易に結束できコード断線がなく品質の良い、使い勝手のよい電気掃除機を提供することができる。
【発明を実施するための最良の形態】
【０００９】
第１の発明は、帯状の雄形面ファスナー部と、帯状の雌形面ファスナー部と、柔軟性と有する帯状部材とからなり、前記雄形面ファスナー部と前記雌形面ファスナー部のファスナー面を対向させ段違いとなるように端部同士を重合し、この重合した部分に更に前記帯状部材を重合すると共にコードが貫通する貫通部を形成したことを特徴とするコードバンドで、貫通部内側を平坦に構成できるためコードがスムーズに移動可能となり、コードバンドを任意の位置に移動させてコードの結束が可能となる。
【００１０】
第２の発明は、帯状の雄形面ファスナー部と、帯状の雌形面ファスナー部と、雄形または雌形の面ファスナーを有する帯状部材とからなり、前記雄形面ファスナー部と前記雌形面ファスナー部のファスナー面を対向させ段違いとなるように端部同士を重合し、この重合した部分に更に前記帯状部材をファスナー面が外向きになるように重合すると共にコードが貫通する貫通部を形成したことを特徴とするコードバンドで、貫通部内側を平坦に構成できるためコードがスムーズに移動可能となり、コードバンドを任意の位置に移動させてコードの結束が可能となり、更に、帯状部材と、雄形面ファスナー部又は雌形面ファスナー部との係合により、小さい部分の結束をも行うことが出来る。
【００１１】
第３の発明は、掃除機本体と、前記掃除機本体に電源を供給するための電源コードと、前記電源コードが貫通部に貫通された第１または２の発明のコードバンドを備え、前記電源コードを束ねた状態で前記コードバンドの雄形面ファスナー部と雌形面ファスナー部を巻き付け結束した電気掃除機で、コードバンドがスムーズに移動可能であるので電源コードを単体で束ね結束できる。
【００１２】
第４の発明は、掃除機本体と、前記掃除機本体に電源を供給するための電源コードと、前記掃除機本体の外郭に一体に設けた前記電源コード保持部と、前記電源コードが貫通部に貫通された第２の発明のコードバンドを備え、前記コードバンドを前記電源コードの途中に位置させて前記電源コード保持部材に巻き付けた後、前記コードバンドの帯状部材の面ファスナーと、雄形面ファスナー部または雌形面ファスナー部とで前記電源コード先端のプラグ部を結束した電気掃除機で、電源コードのプラグ部の結束を簡単に行うことができる。
【００１３】
以下、本発明の実施の形態について、図面を参照しながら説明する。なお、この実施の形態によって本発明が限定されるものではない。
【００１４】
（実施の形態１）
本発明の第１の実施の形態について、図１を用いて説明する。
【００１５】
図１は第１の実施の形態におけるコードバンドの構成を示す側面断面図である。図に示すように、コードバンド３は、雄形の面ファスナー１４を有する面ファスナーＡ１１と雌形の面ファスナー１５を有する面ファスナーＢ１２をお互いに面ファスナー同士を段違いに重合させ、お互いの端部が飛び出た状態で、かつ、雌形の面ファスナーを有した帯状部材１３の両端が面ファスナーＡ１１と面ファスナーＢの重合部に一致するように面ファスナーＢ１２の上部に重合させ、帯状部材１３の面ファスナー１８が外向きになるようにした状態で、帯状部材１３の両端の溶着部Ａ１６と、中間部に位置する溶着部Ｂ１７により、面ファスナーＡ１１、面ファスナーＢ１２、帯状部材１３が一体に溶着接合されると共に、電源コード２が貫通する貫通部１３ａが形成されている。
【００１６】
このように構成されたコードバンド３’において、電源コード２が貫通する貫通部１３ａの内面を平坦に構成することが出来るので、コードバンド３は電源コード２の任意の位置に容易に移動させることが出来る。
【００１７】
また、本実施の形態のコードバンドでは、帯状部材１３として表面に面ファスナーを有する部材を用いて、ファスナー面が電源コード２の摺動面にこないようにして、電源コード２と面ファスナーが擦れて電源コード２が磨耗、傷付がないようにしている。
【００１８】
なお、本実施の形態では、面ファスナーＡ１１を雄形面ファスナー、面ファスナーＢ１２を雌形面ファスナーとして説明したが、雄形面ファスナーと雌形面ファスナーを逆に構成しても同様の構成を実現できる事は言うまでもない。
【００１９】
なお、図２に示すように面ファスナーを有していない帯状部材１３’を用いても電源コード２が貫通する貫通部１３ａの内面を平坦に構成することが出来るので、コードバンド３は電源コード２の任意の位置に容易に移動させることが出来る。
【００２０】
（実施の形態２）
本発明の第２の実施の形態について、図３を用いて説明する。
【００２１】
図３（ａ）は、電気掃除機に実施の形態１のコードバンド３を用いて電源コードの結束を行った状態を示す斜視図で、（ｂ）は、その手順を示す要部斜視図である。
【００２２】
図３において、本体１は、電気掃除機本体（以下、本体と称す）で電動送風機（図示せず）を内蔵している。８は集塵部であり、中にフィルター（図示せず）を設けている。６は集塵部８に繋がる床ノズルである。本体１の下部には電源コード保持部９を備えている。本体１の上部には取っ手４があり、電源スイッチ５を備えている。電源コード２は一端を本体１に他端はコンセントに差し込むプラグ部１０を有している。
【００２３】
そして、図３（ｂ）に示すように、電源コード２を束ねた状態でコードバンド３をこの束ねた電源コードに環巻きすることで容易に束ねて収納するようになっている。
【００２４】
以上のように構成された電気掃除機について、以下その動作、作用を説明する。
【００２５】
本体１の電源コード２のプラグ部１０をコンセントに差し込み、取っ手４を持ち、電源スイッチ５をＯＮすることにより本体１の電動送風機を運転することができ、床ノズル６から塵埃を吸い込み集塵部８に塵埃を運びこむ。集塵部８にはフィルターが構成されており、フィルターにより塵埃を集塵部８にため、きれいな空気のみ電動送風機に送り込むようになっている。掃除が終了したら、電源コード２のプラグ部１０をコンセントから外し、電源コード２を束ねてコードバンド３により固定し、収納する。
【００２６】
この時の結束の手順は、図３の（ｂ）、（ｃ）に示すように電源コード２を束ねて面ファスナーＢ１２を先に電源コード２に巻きつけ、その後で、面ファスナーＡ１１を重ね合わせることにより、電源コード２を固定することができる。そして、電源コード２に対してコードバンド３は移動可能にしており、電源コード２の束ね方を適当に行って、電源コード２の折り曲げ部にコードバンド３が位置しても移動することで、最適な位置で結束することができる。
【００２７】
なお、この実施の形態においては、実施の形態１に示すコードバンド３’を用いても同様に結束することができる。
【００２８】
（実施の形態３）
本発明の第３の実施の形態について、図４を用いて説明する。
【００２９】
図４（ａ）は、電気掃除機に実施の形態１のコードバンド３を用いて電源コードの結束を行った状態を示す斜視図で、（ｂ）〜（ｅ）は、その手順を示す要部斜視図である。
【００３０】
本実施の形態における電源コードの収納方法は、図４（ｂ）に示すように、本体１下部の電源コード保持部９に電源コード２を巻き付けてプラグ部１０を固定して収納する方法である。
【００３１】
以下に図４（ｂ）〜（ｅ）を用いてその手順を示す。
【００３２】
プラグ部１０から約５０ｃｍのところにコードバンド３を配し（ａ）、（ｂ）、次に、プラグ部１０を帯状部材１３側に置き（ｃ）、面ファスナー１４を有した面ファスナーＡ１１と帯状部材１３の保持用面ファスナー１８が合うようにする（ｅ）ことにより、プラグ部１０を固定することができる。この際に約５０ｃｍのところにコードバンド３を設定するようにしているが、これは、電源コード保持部９の大きさにもより、製品により異なる。
【００３３】
また、電源コード２を保持するのにコード部を保持するとプラグ部１０がぶらぶらとして先刃が当たり傷付く等発生する恐れあるため、プラグ部１０を保持できる大きさを有している。
【００３４】
上記２通りのやり方で、電源コード２を処理することで、お客様の使い勝手を向上させ、さらに電源プラグにダメージのない品質の良い電気掃除機を提供する。
【産業上の利用可能性】
【００３５】
以上のように、本発明にかかる電気掃除機は、電気掃除機本体の電源コード保持部に電源コードを巻き付けて収納しても、コードバンドを使いプラグ部を固定し、コード断線がなく品質の良い、また、電源コードだけでもコードバンドで結束できる使い勝手のよい電気掃除機を提供でき家庭、業務用等の電気掃除機に幅広く応用できる。
【図面の簡単な説明】
【００３６】
【図１】本発明の実施の形態１を示すコードバンドの側面断面図
【図２】本発明の実施の形態２を示すコードバンドの側面断面図
【図３】（ａ）本発明の実施の形態３を示す電気掃除機の全体斜視図（ｂ）、（ｃ）同コードバンドの結束手順を示す要部斜視図
【図４】（ａ）本発明の実施の形態４を示す電気掃除機の全体斜視図（ｂ）〜（ｅ）同コードバンドの結束手順を示す要部斜視図
【図５】従来の電気掃除機の概略構成図
【符号の説明】
【００３７】
１    電気掃除機本体
２    電源コード
３、３’  コードバンド
９    電源コード保持部
１０  プラグ部
１３、１３’  帯状部材
１１  面ファスナーＡ（雄形面ファスナー部）
１２  面ファスナーＢ（雌形面ファスナー部）
１８  保持用面ファスナー（面ファスナー）
【図１】
2008234975.tif 000003
【図２】
2008234975.tif 000004
【図３】
2008234975.tif 000005
【図４】
2008234975.tif 000006
【図５】
2008234975.tif 000007